(57)【要約】【解決すべき課題】簡便に高感度、高選択的かつ再現性よくアミノ酸を分析する事ができる方法の提供。【解決手段】高速液体クロマトグラフィーによるアミノ酸を分析する方法であって、酸性溶離液にパーフルオロ脂肪酸からなるイオンペア剤を含有させてＵＶ検出および／または質量検出において分析することを特徴とする、前記方法に関する。【選択図】　　　なし【特許請求の範囲】
【請求項１】
高速液体クロマトグラフィーによるアミノ酸を分析する方法であって、酸性溶離液にパーフルオロ脂肪酸からなるイオンペア剤を含有させて質量検出（ＭＳ検出）および／または紫外部吸収（ＵＶ検出）検出において分析することを含む、前記方法。
【請求項２】
アミノ酸が、シクロセリンである、請求項１に記載の方法。
【請求項３】
パーフルオロ脂肪酸が、ヘプタフルオロ酪酸および／またはペンタデカフルオロオクタン酸である、請求項１または２に記載の方法。
【請求項４】
酸性溶離液が、酢酸、トリフルオロ酢酸、トリクロロ酢酸から選ばれる１種または２種以上を含む、請求項１〜３のいずれかに記載の方法。
【請求項５】
酸性溶離液が、さらにメタノールを含む、請求項１〜４のいずれかに記載の方法。
【請求項６】
アミノ酸分析に用いられる高速液体クロマトグラフィー用溶離液であって、酢酸、パーフルオロ脂肪酸、およびメタノールを含み、酸性である、前記溶離液。
【発明の詳細な説明】
【０００１】
【発明の属する技術分野】
本発明は、高速液体クロマトグラフィー（以下ＨＰＬＣと略）を用いたアミノ酸の分析方法に関する。
【０００２】
【従来技術】
アミノ酸は、一般的にＯＤＳ化シリカゲル充填剤を使用したＨＰＬＣ分析では保持が弱く、また、ＵＶ検出では感度が良好でないことが知られている。そのため、保持の強化および検出感度を高めることを目的に、オルトフタルアルデヒド（ＯＰＡ）、フルオレサミン、ダンシルクロリド、９−フルオレニルメチルフォルメート、４−ハロゲノ−７−ニトロベンゾフラン等を使用し発蛍光誘導体を生成させる蛍光検出法が広く使用されている（例えば、非特許文献１参照。）。
しかしながら、最も一般的に使用されるＯＰＡを用いたアミノ酸の発蛍光誘導体の合成には、蛍光試薬および水酸化ナトリウムなどの反応試薬等、数種類の試薬を組み合わせること、反応条件がアルカリ性であること、ポンプを複数台必要とするなど複雑な専用装置が必要であること、という欠点があった。
また、これらの方法は発蛍光物質への誘導体化工程があるため、分析時間を要するなどといった問題点もあった。
【０００３】
一方で、環状アミノ酸のひとつであるＤ−シクロセリンは抗生物質として広く使用されているが、現在、アルツハイマー病、脊椎病能変性症および精神分裂病等の精神神経疾患の治療薬としての応用が検討されるようになってきている。そのため、生体試料中のＤ−シクロセリンを簡便かつ高感度に分析することは重要なこととなってきている。
このような分析法として、前記ＯＰＡを用いた蛍光検出法やオクタンスルホン酸ナトリウムを使用するイオンペア法で分離した後ＯＰＡで発蛍光誘導体化させる蛍光検出法、すなわちポストカラム法が報告されている（例えば、非特許文献２参照。）。
しかしながら、蛍光検出法では前記同様の問題点があり、また、イオンペア法でＭＳ検出いわゆるＬＣ／ＭＳで分析を行った場合、イオンペア剤が不揮発性のため安定な分析をすることが困難といった問題があった。
またＬＣ／ＭＳ分析用のイオンペア剤として揮発性のものも提案され、ＬＣ／ＭＳの検出部へのイオンペア剤の残存という問題も解決されてきているが（例えば、非特許文献３参照。）、この条件においても生体試料中のアミノ酸の分析を行うには、検出条件や選択性の点で十分なものとはいえない。
【０００４】
【非特許文献１】
日本分析化学会関東支部編、「高速クロマトグラフィーハンドブック改訂２版」、丸善、２０００年、ｐ．２５７
【非特許文献２】
テ゛ィー．　シ゛ー．　ムッソン（Ｄ．　Ｇ．　Ｍｕｓｓｏｎ）、他４名「シ゛ェイ．クロマトク゛ラフィー，　４１４（Ｊ．　Ｃｈｒｏｍａｔｏｇｒａｐｈｙ，　４１４）」、（オランタ゛）、エルセヒ゛アー　サイエンス　ハ゜フ゛リッシャー（Ｅｌｓｅｖｉｅｒ　Ｓｃｉｅｎｃｅ　Ｐｕｂｌｉｓｈｅｒｓ）、１９８７年、ｐ１２１−１２９
【非特許文献３】
井上　剛史、田中美奈子、長谷川恵子、川上実、「ＬＣ−ＭＳで使えるイオンペアー試薬の検討」、第４回ＬＣテクノプラザ、ＧＰ３、１９９９年、ｐ．６０
【０００５】
【発明が解決しようとする課題】
本発明の課題は、上記のような問題を有せず、簡便に高感度、高選択的かつ再現性よくアミノ酸を分析することができる方法を提供することにある。
【０００６】
【課題を解決するための手段】
本発明者らは、上記課題を解決すべく鋭意研究を重ねた結果、ＨＰＬＣを用いたアミノ酸の１種であるシクロセリンの分析において、酸性溶離液に揮発性の高いイオンペア剤を含有させることにより、従来誘導体化することなしには分析することが困難であったシクロセリンをＭＳ検出および／またはＵＶ検出で簡便に高感度、高選択的かつ再現性よくに分析することを可能とする方法を見出し、本発明を完成するに至った。
すなわち、本発明は、高速液体クロマトグラフィーによるアミノ酸を分析する方法であって、酸性溶離液にパーフルオロ脂肪酸からなるイオンペア剤を含有させてＭＳ検出および／またはＵＶ検出で分析することを含む、前記方法に関する。
また、本発明は、アミノ酸が、シクロセリンである、前記方法に関する。
さらに、本発明は、パーフルオロ脂肪酸が、ヘプタフルオロ酪酸および／またはペンタデカフルオロオクタン酸である、前記方法に関する。
さらにまた、本発明は、酸性溶離液が、酢酸、トリフルオロ酢酸、トリクロロ酢酸から選ばれる１種または２種以上を含む、前記方法に関する。
【０００７】
また、本発明は、酸性溶離液が、さらにメタノールを含む、前記方法に関する。
さらに、本発明は、アミノ酸分析に用いられる高速液体クロマトグラフィー用溶離液であって、酢酸、パーフルオロ脂肪酸、およびメタノールを含み、酸性である、前記溶離液に関する。
本発明によれば、酸性溶離液に揮発性のイオンペア剤を含有させることで、ＭＳ検出器およびＵＶ検出器のいずれの検出器を用いても簡便、高選択的、高感度かつ再現性よくアミノ酸を分析することができる。
特に、近年普及してきたＬＣ／ＭＳは、高選択性かつ高感度検出が可能な方法として注目されている。このＬＣ／ＭＳは、目的とするイオンを選択的に検出するＳＩＭ（Ｓｅｌｅｃｔｅｄ　Ｉｏｎ　Ｍｏｎｉｔｏｒｉｎｇ）法を使用すると、より高い選択性が得られるとともに夾雑物質の影響を避けられる可能性を有している。これは、複雑なマトリックス中に微量存在する目的物を選択的に検出することを可能とする。
【０００８】
【発明の実施の形態】
本発明で分析される対象試料は、骨髄、血液、血清、血漿、尿などの夾雑成分を含む生体試料の他、医薬品などの分析に適用することができ、分析できるアミノ酸としては、シクロセリン、グリシン、アラニン、バリン、ロイシン、イソロイシン、フェニルアラニン、プロリン、セリン、トレオニン、チロシン、アスパラギン、グルタミン、リシン、アルギニン、トリプトファン、ヒスチジン、システイン、メチオニン、アスパラギン酸、グルタミン酸、フルダラニン、アザセリンなど、第一級アミンのみならず、第二級アミン、さらにはＤ−体、Ｌ−体のいずれの光学異性体の分析も可能である。
とくに本発明の方法は、生体試料中のシクロセリンの分析に適するものである。
【０００９】
本発明によるアミノ酸の分析方法は、例えば以下に示す方法で行うことができる。
ＯＤＳ化シリカゲル充填剤を充填したカラムを接続し、ＵＶ検出器（検出波長：２４０ｎｍ）とＭＳ検出器（イオン化：ＥＳＩポジティブ）を直列につないだＨＰＬＣ装置に０．１％ペンタデカフルオロオクタン酸を含有させた１％酢酸水溶液とメタノールを７５：２５の割合で混合させた溶離液を流速２００μｌ／ｍｉｎ．で流し、カラム温度４０℃に溶離条件を設定し、除タンパク処理をした骨髄液を注入することにより、骨髄中のアミノ酸を分析する事ができる。
生体試料中の薬物をＨＰＬＣ分析する場合は一般的に複雑な前処理が必要であるが、本方法においては除タンパクのみを行いガードカラムを接続しておくことで良好に分析することもできる。
【００１０】
本発明で用いられる酸性溶離液に特に制限はないが、ＨＰＬＣにＭＳ検出器を用いる場合、イオン化を促進させるために酢酸、トリフルオロ酢酸、トリクロロ酢酸などを用いることが好ましい。かかる酸は、単独で用いても混合して用いてもよく、水溶液として用いてもよい。水溶液として用いる場合、０．１％〜５％の濃度が好ましく、０．５％〜１％の濃度がより好ましい。溶離液にりん酸塩を使用すると、ＭＳ検出器を用いた場合には、りん酸塩が揮発せずイオン源が汚染されるなど不具合が生じる場合がある。また、水１００％の溶離液では分析対象であるアミノ酸が保持されない場合がある。
酸性溶離液のｐＨは、アミノ酸と夾雑成分を分離するために１〜５が好ましく、２．０〜３．０に設定することが好ましい。
【００１１】
また、アミノ酸の溶出時間の調節および感度を向上させるためにメタノールまたはアセトニトリルなどを溶離液に加えることが好ましい。酸性溶離液との比率は、メタノールを用いる場合、酸性溶離液／メタノール＝９９／１〜５０／５０（ｖｏｌ／ｖｏｌ）が好ましく、さらに好ましくは酸性溶離液／メタノール＝８５／１５〜７０／３０（ｖｏｌ／ｖｏｌ）である。アセトニトリルを用いる場合は、アミノ酸の溶離が安定しない場合がある。
本発明で用いられるイオンペア剤は、酸性溶離液に溶解するものであればよく、トリフルオロ酢酸、ペンタフルオロプロピオン酸、ヘプタフルオロ−ｎ−酪酸、ヘプタフルオロイソ酪酸、ノナフルオロ吉草酸、ノナフルオロイソ吉草酸、ウンデカフルオロヘキサン酸、トリデカフルオロヘプタン酸またはペンタデカフルオロオクタン酸などのパーフルオロ低級脂肪酸などが挙げられる。アミノ酸を分離するためにはヘプタフルオロ−ｎ−酪酸および／またはペンタデカフルオロオクタン酸が好ましく、より脂溶性の強いペンタデカフルオロオクタン酸がさらに好ましい。
かかるイオンペア剤を溶離液に添加する濃度は、溶離液に溶解する濃度であれば制限はない。好ましくは１〜１００ｍｍｏｌ／ｌ、さらに好ましくは５〜２０ｍｍｏｌ／ｌである。
本発明でＭＳ検出器を用いる場合、検出方式としてイオントラップ型、四重極型、イオン化の方法はエレクトロスプレー法（ＥＳＩ）、大気圧化学イオン化法（ＡＰＣＩ）、高速原子衝撃法（ＦＡＢ）などいずれの方法も用いることができる。
前記方法は夾雑成分が多い試料を分析する場合、質量数の違いでマスクロマトグラムが得られるため、アミノ酸を完全分離しなくてもアミノ酸を分析する事ができるため分析時間を短縮することができる。
さらに、本発明で用いられる高速液体クロマトグラフィー用溶離液は、構成要素の好ましい態様、具体例などは上記したとおりである。かかる溶離液を用いれば、アミノ酸分析時に溶離液を用事調製することなしに分析を行うことができ、より簡便にアミノ酸分析を行うことができる。また、該溶離液は酢酸、パーフルオロ脂肪酸およびメタノールを含んでいるため携帯面に優れ、利便性に優れるものである。
【００１２】
【実施例】
以下、本発明を実施例により詳細に説明するが、本発明はこれらに限定されるものではない。
【００１３】
〔実施例１〕
１４（μｇ／ｍｌ）のＤ−シクロセリン標準試料水溶液を調製し、ＨＰＬＣ分析を行った。分析条件は以下に示すように設定し、Ｄ−シクロセリン標準液５μｌを注入した。
ＨＰＬＣ装置　：　ナノスペースＳＩ−ＩＩ（資生堂）
（ポンプ、カラム恒温槽、溶媒脱気装置、オートサンプラー）
カラム：Ｍｉｇｈｔｙｓｉｌ　ＲＰ−１８ＧＰ（Ｌ）　（５μｍ）
１００ｍｍ−２ｍｍφ（関東化学株式会社）
ガードカラム：Ｍｉｇｈｔｙｓｉｌ　ＲＰ−１８ＧＰ　（５μｍ）
５ｍｍ−２ｍｍφ（関東化学株式会社）
ＵＶ検出器：Ｓｐｅｃｔｒａ　ＳＹＳＴＥＭ　ＵＶ６０００ＬＰ
（Ｔｈｅｒｍｏ　Ｓｅｐａｒａｔｉｏｎ　Ｐｒｏｄｕｃｔｓ）
ＭＳ検出器：ＬＣＱ−ＤＵＯ（イオントラップ型）（サーモクエスト）
イオン化；ＥＳＩポジティブ、検出；ＭＳ・ＳＩＭ（Ｍ／ｚ　１０３）
溶離液：０．１％ヘプタフルオロ酪酸含有１％酢酸水溶液
流　速：２００μｌ／ｍｉｎ．
カラム温度：４０℃
その結果を図１に示す。
【００１４】
図１ｂ）のＭＳトータルイオンクロマトグラム（以下ＭＳ・ＴＩＣと省略）から保持時間はやや短いものの、図１ａ）のＭＳスペクトルはＤ−シクロセリンのＭ／ｚ＝１０３のシングルピークを示した。また、図１ｃ）に示すとおり、ＵＶ検出においても良好にＤ−シクロセリンを分離できることがわかった。
【００１５】
〔実施例２〕
実施例１より、Ｄ−シクロセリンの測定は可能と判断し、実試料の測定を実施した。試料は、骨髄液５ｍｌに除タンパク液を１ｍｌ加えて３０秒振とうした後、４℃で１５分間放置、１６５０ｇで（半径１６ｃｍの遠心機で３０００ｒｐｍ）１５分間遠心分離した上清にＤ−シクロセリン１４（μｇ／ｍｌ）となるように添加したものを使用した。ＨＰＬＣ条件は実施例１に従った。その結果を図２に示す。
図２ａ）に示すとおり、Ｍ／ｚ＝１０３を示すピークがシングルピークとして得られており、本イオンペア溶離法の選択性の良さを示している。しかしながら、図２ｂ）に示すように、目的物であるＤ−シクロセリンのピークの立ちあがりの直前にベースラインがマイナス方向にドリフトすることがわかった。この現象は、図２ｃ）を見ると明らかになるが、４．７分のＤ−シクロセリンが溶離する直前に試料由来と考えられる夾雑ピークが出現しており、このピークが、ＭＳ・ＴＩＣのマイナス吸収を発生させ、正確なデータ処理を妨げる原因であると考えられた。
【００１６】
〔実施例３〕
実施例２において、ＭＳを用いれば定量分析は可能であるが、ＵＶでも定量分析を可能とさせるため、Ｄ−シクロセリンと夾雑ピークを分離させる検討を行った。
試料はまず、１４（μｇ／ｍｌ）のＤ−シクロセリン標準液を用いた。ＨＰＬＣ条件は、溶離液に５ｍＭペンタデカフルオロオクタン酸含有１％酢酸水溶液／メタノール＝７５／２５、流速２００μｌ／ｍｉｎ．とし、それ以外の条件は実施例１に従った。結果を図３に示す。
図３に示すとおり、ヘプタフルオロ酪酸に比べ脂溶性が強い、ペンタデカフルオロオクタン酸をイオンペア剤に使用することで、Ｄ−シクロセリンを十分保持することができ、良好なクロマトグラムを得ることができた。
また、溶出時間を調節するために溶離液にメタノールを使用する必要が生じたが、その結果、図４に示すとおりヘプタフルオロ酪酸含有酢酸水溶液のみを使用した溶離液系に比べ感度が１０倍上昇することが確認された。
【００１７】
〔実施例４〕
実施例３のＨＰＬＣ条件で、実施例２同様、骨髄中のＤ−シクロセリンの分析を行った。その結果を図５に示す。
図５ｃ）に示すとおり、ペンタデカフルオロオクタン酸をイオンペア剤として使用することで、Ｄ−シクロセリンを充分保持させることが可能になり骨髄由来の夾雑物と分離することも明らかとなった。また、図５ｂ）に示すとおり、ピークのマイナス方向へのドリフトも解消されることが確認された。
したがって、Ｄ−シクロセリンの直前に溶離する骨髄由来の夾雑物は、ＭＳ検出においてネガティブピーク発生の要因となりＤ−シクロセリンの定量性を損なうため、両者を十分分離させる必要があることがわかった。
【００１８】
〔実施例５〕
本方法によるＤ−シクロセリンの定量を示した例であるが、Ｄ−シクロセリン標準液（１．４μｇ／ｍｌ）１μｌ、５μｌ、１０μｌ、１５μｌ　をそれぞれ５回ＨＰＬＣに注入し、ＭＳトータルイオンクロマトグラムの面積値の平均値より検量線を作成した。測定条件は実施例３同様に行った。検量線を図６に示す。
１μｌ（１．４ｎｇ）、５μｌ（７ｎｇ）、１０μｌ（１４ｎｇ）、１５μｌ（２１ｎｇ）４点の検量線は、ＭＳ法の場合相関係数０．９８５４、ＵＶ法の場合相関係数０．９９９と良好な直線性を示した。
またＵＶ検出およびＭＳ検出のいずれの方法においてもＤ−シクロセリン１．４ｎｇ（１３ｐｍｏｌ）の検出が可能であった。この結果から、注入量を少なくすることにより、夾雑物ピークの影響を抑え、さらに微量のＤ−シクロセリンの分析が可能になると予測される。
【００１９】
〔比較例１〕
溶離液をメタノール／水＝４０／６０、イオンペア剤としてヘプタフルオロ酪酸５ｍＭを使用し、その他のＨＰＬＣおよびサンプルの調製条件は実施例２と同様にして実験を行った結果を図７に示す。
ＭＳ検出、ＵＶ検出とも試料の検出を行うことができず、溶離液を酸性とすることの効果が確認された。
【００２０】
【発明の効果】
本発明によれば、揮発性の高いイオンペア剤を使用することでＵＶ検出およびＭＳ検出いずれの方法においても骨髄中のアミノ酸を夾雑物と分離し、簡便に高選択的かつ１．４ｎｇという高感度で、さらには再現性よく測定することが可能となった。
特に、ＭＳ検出は、ＳＩＭ法を使用することにより、アミノ酸を選択性良く測定することが可能である。
また溶離液にメタノールを添加することで水系１００％溶離液に比べ１０倍以上の検出感度で分析できる。
【図面の簡単な説明】
【図１】ヘプタフルオロ酪酸をイオンペア剤に使用した場合のＤ−シクロセリン標準液の、ａ）ＭＳスペクトル、ｂ）ＭＳイオンクロマトグラム、ｃ）ＵＶクロマトグラムを示す。
【図２】ヘプタフルオロ酪酸をイオンペア剤に使用した場合の骨髄中のＤ−シクロセリンの、ａ）ＭＳスペクトル、ｂ）ＭＳ・ＴＩＣ、ｃ）ＵＶクロマトグラム（４．５〜５．０分付近のピークがＤ−シクロセリンである）を示す。
【図３】ペンタデカフルオロオクタン酸をイオンペア剤に使用したＤ−シクロセリン標準液の、ａ）ＭＳスペクトル、ｂ）ＭＳ・ＴＩＣ、ｃ）ＵＶクロマトグラムを示す。
【図４】ａ）０．１％ヘプタフルオロ酪酸含有１％酢酸水溶液を使用した場合のＭＳ・ＴＩＣとｂ）５ｍＭペンタデカフルオロオクタン酸１％酢酸水溶液／メタノール＝７５／２５を使用した場合のＭＳ・ＴＩＣの感度の比較を示す。
【図５】ペンタデカフルオロオクタン酸をイオンペア剤に使用した骨髄中のＤ−シクロセリンの、ａ）ＭＳスペクトル、ｂ）ＭＳ・ＴＩＣ、ｃ）ＵＶクロマトグラム（１１．５分付近のピークがＤ−シクロセリンである）を示す。
【図６】Ｄ−シクロセリン標準液の検量線を表したグラフである。ａ）ＬＣ／ＭＳ検出の場合、ｂ）ＵＶ検出の場合を示す。
【図７】ヘプタフルオロ酪酸をイオンペア剤に使用した骨髄中のＤ−シクロセリンの、ａ）ＭＳ・ＴＩＣ、ｂ）ＵＶクロマトグラムを示す。
【図１】
2004117200.tif 000002
【図２】
2004117200.tif 000003
【図３】
2004117200.tif 000004
【図４】
2004117200.tif 000005
【図５】
2004117200.tif 000006
【図６】
2004117200.tif 000007
【図７】
2004117200.tif 000008